(57)【要約】【課題】かご下ガイドローラの取替作業の効率を向上させることができるエレベータかご下ガイドローラ取替装置を得る。【解決手段】かごに取り付けられる取替装置取付部と、伸縮するチェーンブロックおよびチェーンブロックに設けられ回転軸を把持する把持部を有し、取替装置取付部に設けられた一対のチェーンブロック装置とを備え、取替装置取付部は、かごに対して固定される取付部本体と、チェーンブロック装置を支持する支持部と、取付部本体と支持部との間に設けられ、高さ方向に延びる支持部用回転軸とを有し、支持部は、支持部用回転軸を中心に回転可能となっている。【選択図】図１
2015202935.tif 000002
【特許請求の範囲】
【請求項１】
かごよりも下方に設けられ水平方向に延びた回転軸と、前記回転軸を支持し、前記かごに取り付けられるかご下支持部材と、高さ方向に延び、ガイドレール基部および前記ガイドレール基部に対して垂直に延びたガイドレール本体部を有した断面Ｔ字形状の一対のガイドレールと、それぞれが前記回転軸を中心に回転可能に設けられ、前記ガイドレール本体部の側面を転動する一対のかご下ガイドローラと、それぞれが前記かご下ガイドローラよりも下方に設けられ、前記ガイドレール本体部が挿入される凹部が形成された一対のかご下ガイドシューとを備えたエレベータの前記かご下ガイドローラを取り替える際に用いられるエレベータかご下ガイドローラ取替装置であって、
前記かごに取り付けられる取替装置取付部と、
伸縮するチェーンブロックおよび前記チェーンブロックに設けられ前記回転軸を把持する把持部を有し、前記取替装置取付部に設けられた一対のチェーンブロック装置と
を備え、
前記取替装置取付部は、前記かごに対して固定される取付部本体と、前記チェーンブロック装置を支持する支持部と、前記取付部本体と前記支持部との間に設けられ、高さ方向に延びる支持部用回転軸とを有し、
前記支持部は、前記支持部用回転軸を中心に回転可能となっていることを特徴とするエレベータかご下ガイドローラ取替装置。
【発明の詳細な説明】
【技術分野】
【０００１】
この発明は、エレベータのかご下に配置されたかご下ガイドローラを取り替える際に用いられるエレベータかご下ガイドローラ取替装置に関する。
【背景技術】
【０００２】
従来、昇降路を昇降するかごと、かごを挟むようにして昇降路に設けられ、高さ方向に延び、基部および基部に対して垂直に延びたガイド部を有した断面Ｔ字形状の一対のガイドレールと、それぞれがかごよりも下方に設けられ、ガイドレールのガイド部の側面を転動する一対のかご下ガイドローラと、それぞれがかご下ガイドローラよりも下方に設けられ、ガイドレールのガイド部が挿入される凹部が形成された一対のかご下ガイドシューとを備えたエレベータが知られている。かごが昇降する際に、かご下ガイドローラがガイドレールを転動し、かご下ガイドシューがガイドレールに沿って昇降する。これにより、かごの昇降がガイドレールに規制される（例えば、特許文献１参照）。
【先行技術文献】
【特許文献】
【０００３】
【特許文献１】特開２００１−１５８５８１号公報
【発明の概要】
【発明が解決しようとする課題】
【０００４】
しかしながら、かご下ガイドローラを取り替える場合、かご下ガイドローラを支持する回転軸がかごに取り付けられた状態では、かご下ガイドローラよりも回転軸の軸方向外側にガイドレールの基部が配置されているので、かご下ガイドローラを回転軸から取り外すことができない。そこで、まず、かご下ガイドシューをかごから取外し、その後、回転軸をかごから取り外した後に、かご下ガイドローラを回転軸から取り外して、かご下ガイドローラを取替しなければならず、かご下ガイドローラの取替作業の効率が悪いという問題点があった。
【０００５】
この発明は、かご下ガイドローラの取替作業の効率を向上させることができるエレベータかご下ガイドローラ取替装置を提供するものである。
【課題を解決するための手段】
【０００６】
この発明に係るエレベータかご下ガイドローラ取替装置は、かごよりも下方に設けられ水平方向に延びた回転軸と、回転軸を支持し、かごに取り付けられるかご下支持部材と、高さ方向に延び、ガイドレール基部およびガイドレール基部に対して垂直に延びたガイドレール本体部を有した断面Ｔ字形状の一対のガイドレールと、それぞれが回転軸を中心に回転可能に設けられ、ガイドレール本体部の側面を転動する一対のかご下ガイドローラと、それぞれがかご下ガイドローラよりも下方に設けられ、ガイドレール本体部が挿入される凹部が形成された一対のかご下ガイドシューとを備えたエレベータのかご下ガイドローラを取り替える際に用いられるエレベータかご下ガイドローラ取替装置であって、かごに取り付けられる取替装置取付部と、伸縮するチェーンブロックおよびチェーンブロックに設けられ回転軸を把持する把持部を有し、取替装置取付部に設けられた一対のチェーンブロック装置とを備え、取替装置取付部は、かごに対して固定される取付部本体と、チェーンブロック装置を支持する支持部と、取付部本体と支持部との間に設けられ、高さ方向に延びる支持部用回転軸とを有し、支持部は、支持部用回転軸を中心に回転可能となっている。
【発明の効果】
【０００７】
この発明に係るエレベータかご下ガイドローラ取替装置によれば、かごに取り付けられる取替装置取付部と、伸縮するチェーンブロックおよびチェーンブロックに設けられ回転軸を把持する把持部を有し、取替装置取付部に設けられた一対のチェーンブロック装置とを備え、取替装置取付部は、かごに対して固定される取付部本体と、チェーンブロック装置を支持する支持部と、取付部本体と支持部との間に設けられ、高さ方向に延びる支持部用回転軸とを有し、支持部は、支持部用回転軸を中心に回転可能となっているので、一対のチェーンブロック装置を用いて回転軸を支持した状態で回転軸をかご下支持部材から取り外し、一対のチェーンブロックの間の長さに差をつけることによってガイドレール本体部を凹部から引き抜き、さらに、支持部用回転軸を中心に一対のチェーンブロック装置を回転させて回転軸の端部をガイドレール基部から離すことによって、回転軸からかご下ガイドローラを取り外すことができる。その結果、かご下ガイドローラの取替作業の効率を向上させることができる。
【図面の簡単な説明】
【０００８】
【図１】この発明の実施の形態１に係るエレベータの要部を示す正面図である。
【図２】図１のＩＩ−ＩＩ線に沿った矢視断面図である。
【図３】図１のＩＩＩ−ＩＩＩ線に沿った矢視断面図である。
【図４】図１のエレベータのかご下ガイドローラを取り替える際に用いられるエレベータかご下ガイドローラ取替装置を示す正面図である。
【図５】図４のエレベータかご下ガイドローラ取替装置を用いてかご下ガイドローラを取り外す状態を示す正面図である。
【発明を実施するための形態】
【０００９】
実施の形態１．
図１はこの発明の実施の形態１に係るエレベータの要部を示す正面図である。図において、エレベータは、かご１と、かご１よりも下方に設けられ水平方向に延びた回転軸２と、回転軸２を支持し、かご１に取り付けられるかご下支持部材３と、高さ方向に延びた一対のガイドレール４と、それぞれが回転軸２を中心に回転可能に設けられた一対のかご下ガイドローラ５と、それぞれがかご下ガイドローラ５よりも下方に設けられた一対のかご下ガイドシュー６とを備えている。かご下支持部材３は、ボルトを用いてかご１の下梁に取り付けられている。かご下ガイドローラ５は、ボルトを用いて回転軸２に取り付けられている。
【００１０】
図２は図１のＩＩ−ＩＩ線に沿った矢視断面図である。ガイドレール４は、断面Ｔ字形状に形成されており、昇降路の内壁（図示せず）に沿って配置されたガイドレール基部４１と、ガイドレール基部４１に対して垂直方向に延びたガイドレール本体部４２を有している。かご下ガイドローラ５は、ガイドレール本体部４２の側面を転動する。
【００１１】
図３は図１のＩＩＩ−ＩＩＩ線に沿った矢視断面図である。かご下ガイドシュー６には、ガイドレール本体部４２が挿入される凹部６１が形成されている。
【００１２】
図４は図１のエレベータのかご下ガイドローラ５を取り替える際に用いられるエレベータかご下ガイドローラ取替装置７を示す正面図である。図４では、エレベータかご下ガイドローラ取替装置７がエレベータに取り付けられた状態を示している。エレベータかご下ガイドローラ取替装置７は、かご１に取り付けられる取替装置取付部７１と、伸縮するチェーンブロック７２１およびチェーンブロック７２１に設けられ回転軸２を把持する把持部７２２を有し、取替装置取付部７１に設けられた一対のチェーンブロック装置７２とを備えている。把持部７２２は、回転軸２の軸方向に離れて配置されている。また、把持部７２２は、回転軸２に対して軸方向にスライドしないようになっている。
【００１３】
取替装置取付部７１は、かご１に対して固定される取付部本体７１１と、チェーンブロック装置７２を支持する支持部７１２と、取付部本体７１１と支持部７１２との間に設けられ、高さ方向に延びる支持部用回転軸７１３とを有している。取付部本体７１１は、ボルトを用いてかご１の下梁に取り付けられている。支持部７１２は、支持部用回転軸７１３を中心に回転可能となっている。
【００１４】
次に、かご下ガイドローラ５の取替方法について説明する。図５は図４のエレベータかご下ガイドローラ取替装置７を用いてかご下ガイドローラ５を取り外す状態を示す正面図である。まず、取付部本体７１１をかご１に対して固定する（チェーンブロック取付工程）。
【００１５】
その後、把持部７２２を回転軸２に把持させて、一対のチェーンブロック装置７２を用いて回転軸２を支持する（回転軸支持工程）。チェーンブロック装置７２を用いて回転軸２を支持した状態で、かご下支持部材３をかご１から取り外す。
【００１６】
その後、一対のチェーンブロック７２１の間の長さに差をつけることによって、回転軸２の一端部（図５では右端部）が下方に移動するように、回転軸２を水平面に対して傾斜させる（回転軸傾斜工程）。これにより、凹部６１からガイドレール本体部４２が引き抜かれるようにかご下ガイドシュー６がガイドレール４から離れる。
【００１７】
その後、支持部用回転軸７１３を中心に回転軸２を回転させる（回転軸回転工程）。これにより、回転軸２の端部がガイドレール４から離れる。この状態で、回転軸２からかご下ガイドローラ５を取り外す。その後、かご下ガイドローラ５を取り替える。
【００１８】
かご下ガイドローラ５を取り替えた後に、再度、支持部用回転軸７１３を中心に回転軸２を回転させて回転軸２の端部をガイドレール４に近づける。その後、一対のチェーンブロック７２１の長さを一致させて、回転軸２が水平面に沿うように、回転軸２を回転する。その後、かご下支持部材３をかご１に対して固定し、エレベータかご下ガイドローラ取替装置７をかご１から取り外す。以上により、かご下ガイドローラ５の取替方法が終了する。
【００１９】
以上説明したように、この発明の実施の形態１に係るエレベータかご下ガイドローラ取替装置７によれば、かご１に取り付けられる取替装置取付部７１と、伸縮するチェーンブロック７２１およびチェーンブロック７２１に設けられ回転軸２を把持する把持部７２２を有し、取替装置取付部７１に設けられた一対のチェーンブロック装置７２とを備え、取替装置取付部７１は、かご１に対して固定される取付部本体７１１と、チェーンブロック装置７２を支持する支持部７１２と、取付部本体７１１と支持部７１２との間に設けられ、高さ方向に延びる支持部用回転軸７１３とを有し、支持部７１２は、支持部用回転軸７１３を中心に回転可能となっているので、一対のチェーンブロック装置７２を用いて回転軸２を支持した状態で回転軸２をかご下支持部材３から取り外し、一対のチェーンブロック７２１の間の長さに差をつけることによってガイドレール本体部４２を凹部６１から引き抜き、さらに、支持部用回転軸７１３を中心に一対のチェーンブロック装置７２を回転させて回転軸２の端部をガイドレール基部４１から離すことによって、回転軸２からかご下ガイドローラ５を取り外すことができる。その結果、かご下ガイドローラ５の取替作業の効率を向上させることができる。
【符号の説明】
【００２０】
１  かご、２  回転軸、３  かご下支持部材、４  ガイドレール、５  かご下ガイドローラ、６  かご下ガイドシュー、７  エレベータかご下ガイドローラ取替装置、４１  ガイドレール基部、４２  ガイドレール本体部、６１  凹部、７１  取替装置取付部、７２  チェーンブロック装置、７１１  取付部本体、７１２  支持部、７１３  支持部用回転軸、７２１  チェーンブロック、７２２  把持部。
【図１】
2015202935.tif 000003
【図２】
2015202935.tif 000004
【図３】
2015202935.tif 000005
【図４】
2015202935.tif 000006
【図５】
2015202935.tif 000007